(57)【要約】【課題】放送チャンネルが変更された場合にも、簡単にかつ的確にチャンネルプリセットを実行することができる。【解決手段】デジタルチューナ１４に対してチャンネルサーチを実行し、放送が受信されたチャンネルが、アナログチューナ１３として既にプリセットされているか否かを判別し、同じチャンネルがプリセットされていたら、アナログチューナ１３の当該チャンネルのプリセットを解消する。次に、アナログチューナ１３のチャンネルサーチを実行して、プリセット済みのチャンネルとは異なるチャンネルが受信されたら、そのチャンネルのプリセットを実行するか否かをディスプレイ部２０で視聴者に問い合わせし、視聴者がプリセット実行を選択したらそのプリセットを実行する。さらに、そのようなチャンネルの変更を地域対応チャンネルデータに更新させるか否かを視聴者に問い合わせして、必要に応じてデータを更新するように構成した。【選択図】　　　図２
2004120475.tif 000002
【特許請求の範囲】
【請求項１】
複数のチャンネルを受信することが可能なアナログ放送受信チューナと、
前記複数のチャンネルを受信することが可能なデジタル放送受信チューナと、
前記アナログ放送受信チューナを選局するために供給される選局信号がプリセットされた第１の選局手段と、
前記デジタル放送チューナを選局するための選局信号を供給する第２の選局手段と、
前記第２の選局手段により、前記デジタル放送受信チューナの各チャンネルを順次選局して、選局したチャンネルに放送信号が存在するか否かを判定して、放送信号があると判定されたチャンネルの選局信号を当該第２の選局手段にプリセットするプリセット手段と、
前記プリセット手段におけるプリセット処理の結果、同じチャンネルが前記第１の選局手段で既にプリセットされている場合に前記第１の選局手段における当該チャンネルのプリセットを解除する制御手段と、
を具備したことを特徴とする選局装置。
【請求項２】
複数のチャンネルを受信することが可能なアナログ放送受信チューナと、
前記複数のチャンネルを受信することが可能なデジタル放送受信チューナと、
前記アナログ放送受信チューナ及びデジタル放送受信チューナにチャンネルを選局するための選局信号を供給する選局手段と、
地域を特定する情報に基づいて予め設定された前記アナログ放送受信チューナの受信チャンネルに対応する前記選局信号をプリセットする第１のプリセット手段と、
前記デジタル放送受信チューナの各チャンネルを順次選局して、選局したチャンネルに放送信号が存在するか否かを判定して、放送信号があると判定されたチャンネルの選局信号をプリセットする第２のプリセット手段と、
前記第１及び第２のプリセット手段におけるプリセット処理の結果、同じチャンネルがプリセットされた場合に前記第１のプリセット手段による当該チャンネルのプリセットを解除する制御手段と、
を具備したことを特徴とする選局装置。
【請求項３】
複数のチャンネルを受信することが可能なチューナと、
前記チューナにチャンネルを選局するために選局信号を供給する選局手段と、
地域を特定する情報に基づいて予め設定された前記チューナの受信チャンネルに対応する前記選局信号をプリセットするプリセット手段と、
前記チューナの各チャンネルを順次選局して、選局したチャンネルに放送信号が存在するか否かを判定して、放送信号があると判定されたチャンネルと前記プリセット手段でプリセットされたチャンネルを比較し、異なるチャンネルの放送信号が存在すると判定された際に、そのチャンネルのプリセットをユーザの操作に基づいて実行する制御手段と、
を具備したことを特徴とする選局装置。
【請求項４】
複数のチャンネルを受信することが可能なチューナと、
前記チューナにチャンネルを選局するための選局信号供給する選局手段と、
各地域毎に、地域を特定する情報と当該地域の受信チャンネルが予め記憶された記憶手段と、
前記記憶手段に記憶された前記チューナが設置される地域を特定する情報に基づく前記アナログ放送受信チューナの受信チャンネルに対応する前記選局信号をプリセットするプリセット手段と、
前記アナログ放送受信チューナの各チャンネルを順次選局して、選局したチャンネルに放送信号が存在するか否かを判定して、放送信号があると判定されたチャンネルと前記プリセット手段でプリセットされたチャンネルを比較し、異なるチャンネルの放送信号が存在すると判定された際に、そのチャンネルのプリセットをユーザの操作に基づいて実行すると共に、前記記憶手段に記憶された地域を特定する情報に対する受信チャンネルを修正する制御手段と、
を具備したことを特徴とする選局装置。
【請求項５】
デジタル放送受信チューナの各チャンネルを順次選局して、選局したチャンネルに放送信号が存在するか否かを判定して、放送信号があると判定されたチャンネルの選局信号をプリセットするステップと、
前記プリセットステップによるプリセット処理の結果、同じチャンネルがアナログ放送受信チューナの選局チャンネルとして既にプリセットされているか否か判定するステップと、
前記判定ステップによってアナログ放送受信チューナの選局チャンネルとしてプリセットされていたことが判定された場合に、当該チャンネルのプリセットを解除するステップと、
を具備したことを特徴とする選局方法。
【請求項６】
前記アナログ放送受信チューナは、その受信チャンネルが地域を特定する情報に基づいてプリセットされていることを特徴とする請求項５に記載の選局方法。
【請求項７】
チューナの受信チャンネルを、地域を特定する情報に基づいて予め設定されたチャンネルにプリセットするステップと、
前記チューナの各チャンネルを順次選局して、選局したチャンネルに放送信号が存在するか否かを判定するステップと、
前記判定ステップの判定の結果、放送信号があると判定されたチャンネルと前記プリセットステップでプリセットされたチャンネルを比較するステップと、
前記比較ステップの結果、異なるチャンネルに放送信号が存在すると判定された際に、そのチャンネルのプリセットをユーザの操作に基づいて実行するステップと、
を具備したことを特徴とする選局方法。
【請求項８】
前記比較ステップの結果、異なるチャンネルに放送信号が存在すると判定された際に、ユーザの操作に基づいて、そのチャンネルのプリセットと、前記地域を特定する情報に対応するチャンネル情報の修正を実行するステップを具備したことを特徴とする請求項７に記載の選局方法。
【発明の詳細な説明】
【０００１】
【発明の属する技術分野】
本発明は、チューナの選局装置に関し、特に地上波アナログ放送と、地上波デジタル放送が混在する地域において、無駄のない的確なチャンネルプリセットを可能とした選局装置及び選局方法に関する。
【０００２】
【従来の技術】
テレビジョン地上波デジタル放送は、２００３年から一部の地域でＵＨＦ（Ｕｌｔｒａ　Ｈｉｇｈ　Ｆｒｅｑｕｅｎｃｙ）帯の一部のチャンネルを使って実施されるのを皮切りに、順次全国にデジタル放送のチャンネルを拡大させていき、２０１０年には全てのチャンネルがデジタル放送に移行されることになっている。
【０００３】
したがって、２０１０年までは、同じＵＨＦ帯においてアナログ放送とデジタル放送が混在することになる。そのような状況においては、デジタル放送は、原則として、既存のアナログ放送が行なわれているチャンネルを避けて、空きチャンネルで実施されるように計画されているが、空きチャンネルでの実施が不可能な場合、アナログ放送のチャンネルを他のチャンネルに変更し、空いたチャンネルでデジタル放送を実施することも予定されている。
【０００４】
すなわち、図７に示すように、例えばアナログ放送の２４チャンネルを２３チャンネルに変更して、空いた２４チャンネルでデジタル放送を実施することもある。
一般に、テレビジョン受像機では、予め各地域毎に受信可能な放送チャンネルを特定した地域対応チャンネル情報テーブルを備えており、受像機を設置した地域の番号を入力することで、チャンネルのプリセットを行なう機能を有しており、視聴者は受像機を購入した際に、その機能を使ってプリセットを実施し、その後は、チャンネルの設定を変えることはほとんど無いといってよい。
【０００５】
したがって、このように放送側でチャンネル変更が行なわれた場合には、アナログ放送の２４チャンネルを受信すべく選局を行なっても、デジタル放送が受信されるために画面にはノイズが表示されるだけで、視聴者は、故障と間違うこともある。
【０００６】
逆に、新たに設定された２３チャンネルは、選局できず、充分な受信ができないという問題がある。
このようにチャンネルの変更が行なわれた場合には、簡単な操作で、新たなチャンネルのプリセットが実施できることが使い勝手の点で、極めて重要であるが、受像機が備えている地域別受信チャンネル情報テーブルには、当然ながらチャンネルの変更は反映されておらず、地域番号を使ったチャンネルプリセットを行なっても、チャンネル変更に対応したプリセットを行なうことはできない。
【０００７】
特開２００２−１７６５９０号には、デジタル放送チューナとアナログ放送チューナで、それぞれオートサーチによるチャンネルプリセットを実施し、同じアナログ放送チャンネルのプリセットが行なわれた場合に、デジタル放送チューナ用にプリセットされたデータからアナログチャンネルのデータを削除するようにした提案が提示されているが、この提案の場合、同じアナログチャンネルがプリセットされている無駄を省くということであり、本発明で課題としている内容とは異なる。
【０００８】
以上のように従来、放送チャンネルの変更が行なわれた場合に、それに対応して、簡単にプリセットをし直すということはできなかった。
【特許文献１】
特開２００２−１７６５９０号（第４頁〜第６頁、図４）
【０００９】
【発明が解決しようとする課題】
以上のように、従来、放送チャンネルの変更が行なわれた場合に、それを簡単にプリセットできるようにした装置がなく、そのような装置の実現が待望されている。
本発明は、以上の点に対処してなされたものであり、放送チャンネルが変更されてもそれを簡単にプリセットできるようにした選局装置及び選局方法を提供することを目的とする。
【００１０】
【課題を解決するための手段】
本発明の選局装置は、複数のチャンネルを受信することが可能なアナログ放送受信チューナと、前記複数のチャンネルを受信することが可能なデジタル放送受信チューナと、前記アナログ放送受信チューナを選局するために供給される選局信号がプリセットされた第１の選局手段と、前記デジタル放送チューナを選局するための選局信号を供給する第２の選局手段と、前記第２の選局手段により、前記デジタル放送受信チューナの各チャンネルを順次選局して、選局したチャンネルに放送信号が存在するか否かを判定して、放送信号があると判定されたチャンネルの選局信号を当該第２の選局手段にプリセットするプリセット手段と、前記プリセット手段におけるプリセット処理の結果、同じチャンネルが前記第１の選局手段で既にプリセットされている場合に前記第１の選局手段における当該チャンネルのプリセットを解除する制御手段と、を具備したことを特徴とする。
【００１１】
本発明によれば、放送が行なわれていないにも関わらず、プリセットされているチャンネルを簡単に検索して、プリセットを解除することが可能である。
本発明の選局装置は、複数のチャンネルを受信することが可能なアナログ放送受信チューナと、前記複数のチャンネルを受信することが可能なデジタル放送受信チューナと、前記アナログ放送受信チューナ及びデジタル放送受信チューナにチャンネルを選局するための選局信号を供給する選局手段と、地域を特定する情報に基づいて予め設定された前記アナログ放送受信チューナの受信チャンネルに対応する前記選局信号をプリセットする第１のプリセット手段と、前記デジタル放送受信チューナの各チャンネルを順次選局して、選局したチャンネルに放送信号が存在するか否かを判定して、放送信号があると判定されたチャンネルの選局信号をプリセットする第２のプリセット手段と、前記第１及び第２のプリセット手段におけるプリセット処理の結果、同じチャンネルがプリセットされた場合に前記第１のプリセット手段による当該チャンネルのプリセットを解除する制御手段と、を具備したことを特徴とする。
【００１２】
本発明によれば、本発明によれば、放送が行なわれていないにも関わらず、プリセットされているチャンネルを簡単に検索して、プリセットを解除することが可能である。
本発明の選局装置は、複数のチャンネルを受信することが可能なチューナと、前記チューナにチャンネルを選局するために選局信号を供給する選局手段と、地域を特定する情報に基づいて予め設定された前記チューナの受信チャンネルに対応する前記選局信号をプリセットするプリセット手段と、前記チューナの各チャンネルを順次選局して、選局したチャンネルに放送信号が存在するか否かを判定して、放送信号があると判定されたチャンネルと前記プリセット手段でプリセットされたチャンネルを比較し、異なるチャンネルの放送信号が存在すると判定された際に、そのチャンネルのプリセットをユーザの操作に基づいて実行する制御手段と、を具備したことを特徴とする。
【００１３】
本発明によれば、地域対応チャンネルデータでプリセットされたチャンネルに対して新たな放送チャンネルの有無を検索して、新たな放送実施チャンネルが存在する場合に、そのチャンネルのプリセットを視聴者の判断で行なうようにしたので、簡単で的確にチャンネルプリセットが実行できる。
【００１４】
本発明の選局装置は、複数のチャンネルを受信することが可能なチューナと、前記チューナにチャンネルを選局するための選局信号供給する選局手段と、各地域毎に、地域を特定する情報と当該地域の受信チャンネルが予め記憶された記憶手段と、前記記憶手段に記憶された前記チューナが設置される地域を特定する情報に基づく前記アナログ放送受信チューナの受信チャンネルに対応する前記選局信号をプリセットするプリセット手段と、前記アナログ放送受信チューナの各チャンネルを順次選局して、選局したチャンネルに放送信号が存在するか否かを判定して、放送信号があると判定されたチャンネルと前記プリセット手段でプリセットされたチャンネルを比較し、異なるチャンネルの放送信号が存在すると判定された際に、そのチャンネルのプリセットをユーザの操作に基づいて実行すると共に、前記記憶手段に記憶された地域を特定する情報に対する受信チャンネルを修正する制御手段と、を具備したことを特徴とする。
【００１５】
本発明によれば、地域対応チャンネルデータでプリセットされたチャンネルに対して新たな放送チャンネルの有無を検索して、新たな放送実施チャンネルが存在する場合に、そのチャンネルのプリセットを視聴者の判断で行なうようにし、さらに地域対応チャンネルデータの更新を視聴者の判断で行なうようにしたので、簡単で的確にチャンネルプリセットが実行できる。
【００１６】
本発明の選局方法は、デジタル放送受信チューナの各チャンネルを順次選局して、選局したチャンネルに放送信号が存在するか否かを判定して、放送信号があると判定されたチャンネルの選局信号をプリセットするステップと、前記プリセットステップによるプリセット処理の結果、同じチャンネルがアナログ放送受信チューナの選局チャンネルとして既にプリセットされているか否か判定するステップと、前記判定ステップによってアナログ放送受信チューナの選局チャンネルとしてプリセットされていたことが判定された場合に、当該チャンネルのプリセットを解除するステップと、を具備したことを特徴とする。
【００１７】
本発明によれば、本発明によれば、放送が行なわれていないにも関わらず、プリセットされているチャンネルを簡単に検索して、プリセットを解除することが可能である。
本発明の選局方法は、チューナの受信チャンネルを、地域を特定する情報に基づいて予め設定されたチャンネルにプリセットするステップと、前記チューナの各チャンネルを順次選局して、選局したチャンネルに放送信号が存在するか否かを判定するステップと、前記判定ステップの判定の結果、放送信号があると判定されたチャンネルと前記プリセットステップでプリセットされたチャンネルを比較するステップと、前記比較ステップの結果、異なるチャンネルに放送信号が存在すると判定された際に、そのチャンネルのプリセットをユーザの操作に基づいて実行するステップと、を具備したことを特徴とする。
【００１８】
本発明によれば、本発明によれば、地域対応チャンネルデータでプリセットされたチャンネルに対して新たな放送チャンネルの有無を検索して、新たな放送実施チャンネルが存在する場合に、そのチャンネルのプリセットを視聴者の判断で行なうようにしたので、簡単で的確にチャンネルプリセットが実行できる。
【００１９】
【発明の実施の形態】
以下、図面を参照しながら本発明の実施の形態を詳細に説明する。
図１は、本発明の選局装置の一実施の形態を示すブロック図である。図１において、アンテナ１１は、アンテナ入力端子１２に接続され、アンテナ入力端子１２は、アナログチューナ１３とデジタルチューナ１４に接続されている。
アナログチューナ１３は、選局マイコン１５からの選局信号によってチャンネルの切換が実行される。選局信号は不揮発性メモリ１６に記憶されており、全てのチャンネルに対応する選局信号に対して、実際に放送信号が存在するチャンネルの選局信号には、フラグが立てられている。この実際にチャンネルの選局に用いられる選局信号に対応してフラグを立てることをプリセットといい、通常は、選局マイコン１５内のメモリに記憶されている、各地域毎に受信可能なチャンネルのデータに基づき、視聴者がリモコンハンドユニット等からプリセットを実行させる。
【００２０】
入力部１７の操作によって、選局マイコン１５を駆動し、不揮発性メモリ１６から読み出した選局信号によって、チャンネルの選局が行なわれる。入力部１７は、装置の筐体に設けられた複数のスイッチで構成されるかあるいは、リモコンハンドユニットからのリモコン信号を受信して処理する受信部として構成することができる。
【００２１】
アナログチューナ１３からは、ＩＦ（Ｉｎｔｅｒｍｅｄｉａｔｅ　Ｆｒｅｑｕｅｎｃｙ）信号に変換された受信信号が出力され、映像信号が復調部１８で復調されて映像信号処理部１９に供給され、ここで２画面表示処理等の処理が施されて、ディスプレイ部２０に供給されて表示される。
【００２２】
また、同期信号検出部２１で、復調部１８で復調された映像信号から同期信号が分離され、選局マイコン１５に供給される。この同期信号検出部２１で検出された同期信号は、選局マイコン１５において、選局されたチャンネルに放送信号が存在することを示す信号として使われる。
【００２３】
デジタルチューナ１４は、選局マイコン２２からの選局信号によってチャンネルの切換が実行される。選局信号は不揮発性メモリ２３に記憶されており、アナログチューナ１３と同様に、入力部１７の操作によって不揮発性メモリ２３から選局信号を読み出してデジタルチューナ１４に供給してチャンネルの選局を実行する。
【００２４】
デジタルチューナ１４で受信された受信信号は、ＯＦＤＭ（Ｏｒｔｈｏｇｏｎａｌ　Ｆｒｅｑｕｅｎｃｙ　Ｄｉｖｉｓｉｏｎ　Ｍｕｌｔｉｐｌｅｘ）復調／誤り訂正部２４でＯＦＤＭ復調されると共に誤り訂正が施され、ＴＳ（Ｔｒａｎｓｐｏｒｔ　Ｓｔｒｅａｍ）信号としてデマルチプレクサ／ＭＰＥＧ（Ｍｏｖｉｎｇ　Ｐｉｃｔｕｒｅ　Ｅｘｐｅｒｔｓ　Ｇｒｏｕｐｅ）復号部２５に供給される。ここで、映像データが分離抽出されて復号され、グラフィック処理／ＤＡＣ（Ｄｉｇｉｔａｌ　Ａｎａｌｏｇ　Ｃｏｎｖｅｒｔｅｒ）部２６に供給される。グラフィック処理／ＤＡＣ部２６で必要に応じて、表、グラフィック等の重畳が行なわれると共にアナログ信号に変換されて、映像信号処理部１９に供給される。
【００２５】
映像信号処理部１９では、アナログチューナ１３側の映像信号との選択的切換え、あるいはアナログチューナ１３からの映像信号との２画面表示のための圧縮処理等が施されて、ディスプレイ部２０で表示される。
ＯＦＤＭ復調／誤り訂正部２４の出力は、ＢＥＲ（Ｂｉｔ　Ｅｒｒｏｒ　Ｒａｔｅ）検出回路２８に供給され、ここでデジタルデータのビット誤り率が検出されて、その結果が選局マイコン２２に供給される。選局したチャンネルに放送信号が存在すれば、ビット誤り率が所定以下に低下することにより、そのチャンネルに放送信号が存在するか否かを判別することができる。
【００２６】
さらに、制御部２７を備え、視聴者の入力部１７の操作によって、デマルチプレクサ／ＭＰＥＧ復号部２５で分離されるＴＳ信号に含まれる付加データを取り込んで、表あるいはキャラクタを生成し、グラフィック処理／ＤＡＣ部２６に供給して、それらを復号された映像データに重畳する処理を制御する。さらに、制御部２７は、視聴者の入力部１７の操作によって、ディスプレイ部２０で表示される映像の選択を行なったり、あるいは、後述するチャンネルプリセットを実行するかしないかの選択を視聴者に諮るためのメッセージを表示し、視聴者が選択した項目を実行するための制御を行なう。
【００２７】
以上のように構成された、選局装置において、図７に示すように、アナログ放送のチャンネルの２４チャンネルが２３チャンネルに変更され、新たにデジタル放送で２４チャンネルが実施されている状況を想定する。
この状態において、視聴者はまず、入力部１７からデジタルチューナ１４に対して、各チャンネルを順次選局していって、放送信号が存在したことが判定されたチャンネルを不揮発性メモリに順次記憶させるいわゆるチャンネルサーチを実行させる。
【００２８】
すなわち、デジタルチューナ１４において、ＵＨＦの１３チャンネルから順次、選局を行なわせ、ＢＥＲ検出回路２８からの信号により、放送が存在するか否かを判定して、放送が存在すると判定されたチャンネルの選局信号に対して、不揮発性メモリ２３にフラグを立てて行く。
【００２９】
その結果、アナログチューナ１３側で既に不揮発性メモリ１６でプリセットされたチャンネルと、同じチャンネルがデジタルチューナ１４で不揮発性メモリ２３にプリセットされた場合、そのチャンネルは、アナログ放送が存在しないチャンネルと断定して、不揮発性メモリ１６の当該チャンネルの選局信号のフラグを削除する。
【００３０】
すなわち、図７の例によれば、アナログチューナ用にプリセットされたチャンネル２４が削除される。
これによって視聴者は、アナログの２４チャンネルを受信してしまうということがなくなり、故障と見間違うというような現象が起ることはない。
以上説明した処理を、図２のフローチャートを参照して説明する。
図２の処理では、ステップ２ａで開始され、ステップ２ｂで、まず、地域毎に選局マイコン１５内に記憶されている地域コード対応アナログ放送チャンネル情報が読み出され、ステップ２ｃで、読み出した情報に基づいてプリセットが実行される。
【００３１】
次いでステップ２ｄでデジタルチューナ１４のサーチ選局処理が実行されて、放送信号の有無判定に基づいて順次プリセットが実行される。
次に、ステップ２ｅでアナログ放送のプリセットと同じチャンネルがプリセットされたか否かが判定され、同じチャンネルがプリセットされた場合には、ステップ２ｆで、当該アナログチャンネルのプリセットを解除し、ステップ２ｇで終了となる。
【００３２】
このようにして、放送が行なわれていないアナログチャンネルのプリセットを解除することができるが、このような状況においては、そのプリセットを解除したチャンネルが、他のチャンネルに変更されて放送が行なわれている可能性が大であるため、その新たなチャンネルのプリセットを実行する必要があり、次にその説明を行なう。
【００３３】
視聴者は、アナログチューナ１３のサーチ選局処理を実行する。サーチ選局の結果、地域コードに基づく放送チャンネルとは異なるチャンネルが、放送信号有りと判定されたら、そのチャンネルを新たにプリセットするか否かという問い合わせを視聴者に対して行い、視聴者がプリセットを希望する場合に、例えば、図示しないリモコンハンドユニットの操作によって、そのチャンネルのプリセットを実行できるようにする。
【００３４】
すなわち、入力部１７を介して選局マイコン１５を駆動し、チャンネル１３から順次選局させていき、同期信号検出部２１からの同期信号に基づき、選局したチャンネルに放送が存在するか否か判定する。
放送が存在することが判定されたら、そのチャンネルが既にプリセットされたチャンネルと同じか否かということを判定し、異なるチャンネルである場合に、図３に示すように、制御部２７から、新たに放送が存在することが判定されたチャンネルをプリセットするか否かというメッセージ情報を読み出して、映像信号処理部１９に供給し、それをディスプレイ部２０で表示させる。
【００３５】
視聴者は、メッセージを見て、そのチャンネルを新たにプリセットすることを希望する場合、リモコンハンドユニットを操作してカーソルによって、［ＹＥＳ］を選択して、例えば決定キーを操作することでそのチャンネルのプリセットが実行される。
【００３６】
このように、構成することで、アナログ放送チャンネルが他のチャンネルに変更になった場合でも、新たなチャンネルを簡単にプリセットすることができるものである。
さらに、この新たなチャンネルは、地域コードに対応したチャンネルには含まれておらず、地域コードを使ってプリセットを実行してしまうと、元のプリセット状態に戻ってしまうため、ここで、地域コードのチャンネル情報も修正しておいたほうが好ましく、新たなチャンネルのプリセットが実行されたら、視聴者に地域コードのチャンネル情報を修正するか否か、選択させるようにした方がよい。
【００３７】
すなわち、図４に示すように、地域コードのチャンネル情報を修正するか否かのメッセージを画面表示して、視聴者がリモコンハンドユニットのカーソルキーと決定キーで選択できるように構成する。この場合、変更された元のチャンネルの削除も含めて、地域コードのチャンネル情報が修正されるように構成する。
【００３８】
以上の一連の処理を、図５のフローチャートでさらに説明する。
ステップ５ａの開始から、ステップ５ｆのプリセット削除までは、図２のフローチャートと同じであり、詳細な説明は省略する。
ステップ５ｇでアナログ放送のチャンネルサーチを実行し、サーチの結果、ステップ５ｈで、プリセット済みのチャンネル以外に、放送が行なわれているチャンネルがあるか否かの判定が行なわれ、チャンネルがあった場合に、ステップ５ｉでそのチャンネルのプリセットを実行するか否かの選択案内を行う。
【００３９】
次いで、ステップ５ｊでプリセットの実行が選択されたか否かの判定がなされ、プリセットを行なうことが選択されたら、ステップ５ｋで新規有信号チャンネルのプリセットを実行する。次いで、ステップ５ｌで地域対応チャンネルデータを更新するか否かの選択が行なわれ、データを更新する場合、ステップ５ｍでチャンネルデータの更新が実行され、チャンネルデータ５ｎが更新される。
【００４０】
ステップ５ｅ、５ｈ、５ｊ、５ｌで、ＮＯが選択された場合に、ステップ５ｏで終了となる。
以上のように、本発明の選局装置は、まず、デジタルチューナ１４でのチャンネルのサーチを実行して、プリセット済みのアナログ放送チャンネルと同じチャンネルに放送信号が存在することが判別されたら、そのアナログチャンネルのプリセットを解除するようにしたので、無駄なプリセットを無くすことができる。
【００４１】
さらに、アナログチューナ１３でチャンネルサーチを実行して、プリセット済みのチャンネル以外のチャンネルで放送信号が検出されたら、そのチャンネルのプリセットを視聴者に実行させ、さらに必要に応じて地域対応チャンネルデータを更新するようにしたので、簡単な操作で実際の放送に即したチャンネルプリセットを実行することができるものである。
【００４２】
図６は本発明の他の実施の形態を示すブロック図である。
図６においては、チューナは、デジタル放送とアナログ放送の両方を受信可能な装置６０として構成されている。
図６において、アンテナ入力端子６１からの放送信号は、ＲＦ（Ｒａｄｉｏ　Ｆｒｅｑｕｎｃｙ）増幅回路６２に供給されて増幅され、複同調回路６３で所定帯域の信号が抽出されてミキサ回路６４に供給される。ミキサ回路６４には、周波数シンセサイザ方式で生成された各チャンネルに対応した周波数の信号が加えられて、複同調回路６３から供給される受信信号と混合され、ＩＦ同調回路６５からＩＦ信号として抽出される。ＩＦ同調回路６５の出力は、ＩＦ増幅回路６６で増幅され、デジタル放送信号復調回路６７とアナログ放送信号復調回路６８に供給される。
【００４３】
デジタル放送信号復調回路６７は、図１に示すＯＦＤＭ復調／誤り訂正部２４と同様の構成を有し、ＴＳ信号を後段に出力する。アナログ放送信号復調回路６８は、図１の復調部１８と同様の構成を有し、復調した信号を後段に出力する。
周波数シンセサイザ回路は、ＶＣＯ（Ｖｏｌｔａｇｅ　Ｃｏｎｔｒｏｌｌｅｄ　Ｏｓｃｌａｔｏｒ）６９、プログラマブル分周器７０、位相比較器７１、基準信号源７２、ループフィルタ７３とで構成され、プログラマブル分周器７０に分周係数をセットすることで、それに対応してＶＣＯ６９の発振周波数が変更される。
【００４４】
視聴者の入力部７６の操作によって、マイコン７４を介して、不揮発性メモリ７５から読み出された各チャンネルに対応した分周係数がプログラマブル分周器７０にセットされることで、選局が実行される。すなわち、分周係数が選局信号ということになる。
【００４５】
デジタル放送信号復調回路６７の出力のＢＥＲをＢＥＲ検出回路７７で検出してマイコン７４に供給し、選局したチャンネルに放送信号が存在するかの判断を行なう。また、アナログ放送信号復調回路６８の出力から、同期検出回路７８で同期信号を検出してマイコン７４に供給し、選局したチャンネルに放送信号が存在するか否かの判断を行なう。
【００４６】
以上のように構成された装置においても、アナログ放送のチャンネル及びデジタル放送のチャンネルのプリセットを予め行なっておいて、チャンネルの切換えが的確に行なえるように構成するのが普通であり、図１に示す装置と同様にして、チャンネルプリセットの変更を実行することができる。
【００４７】
まず、全チャンネルのサーチを行なって、デジタル放送が受信されたか否かを判別していく、このとき、プリセット済みのアナログ放送のチャンネルと同一チャンネルでデジタル放送が受信された場合に、アナログ放送の当該チャンネルのプリセットを削除する。
【００４８】
次いで、同様にチャンネルサーチを行なって、プリセット済みのアナログ放送チャンネル以外に、アナログ放送を受信したチャンネルが存在するか否かを判別して、新規なチャンネルが判別されたら、そのチャンネルのプリセットを実行するか否か、視聴者に選択メッセージを提示する。視聴者がプリセットの実行を選択したら、チャンネルプリセットを実行し、次いで、地域対応チャンネルデータの更新を行なうか否かの問い合わせメッセージを視聴者に提示して、視聴者が更新を選択したらデータの更新を行なう。
【００４９】
以上の処理は、図２及び図５に示すフローチャートのとおりである。
この実施の形態においても、放送の行なわれていないチャンネルのプリセットを削除し、新たに放送が実施されるようになったチャンネルのプリセットを簡単に実施することができるものである。また、そのようなチャンネルの変更に合せて地域対応チャンネルデータを更新することもできる。
【００５０】
以上のように本発明によれば、デジタル放送のチャンネルサーチを実施し、プリセット済みのアナログ放送のチャンネルと同じ放送チャンネルでデジタル放送が受信できたか否かという事実に基づき、アナログ放送が実施されていないにも係らず、プリセットが実施されているチャンネルを判別して、そのチャンネルのプリセットを解除するようにしたので、簡単にプリセットの更新を実施できる。
【００５１】
また、チャンネルサーチを実施して、プリセット済みのチャンネル以外に、受信できたチャンネルが存在したら、そのチャンネルのプリセットを視聴者の判断で実行するように構成し、さらに、そのようなチャンネル変更に合せて、地域対応チャンネルデータを更新するようにしたので、的確なチャンネルプリセットが実行できるようになるものである。
【００５２】
【発明の効果】
以上のように、本発明によれば、放送チャンネルが変更になった場合に、その変更に合せたチャンネルプリセットを簡単に実行することができるため、的確な選局を行なうようにすることができるものである。
【図面の簡単な説明】
【図１】本発明に係る、選局装置の一実施の形態を示すブロック図。
【図２】図１に示す装置の動作を説明するためのフローチャート。
【図３】図１に示す装置の動作を説明するための図。
【図４】図１に示す装置の動作を説明するための図。
【図５】図１に示す装置の動作を説明するためのフローチャート。
【図６】本発明の選局装置の他の実施の形態を示すブロック図。
【図７】放送チャンネルの変更を説明するための図。
【符号の説明】
１１…アンテナ
１２…アンテナ入力端子
１３…アナログチューナ
１４…デジタルチューナ
１５，２２…選局マイコン
１６，２３…不揮発性メモリ
１７…入力部
１８…復調部
１９…映像信号処理部
２０…ディスプレイ部
２１…同期信号検出部
２４…ＯＦＤＭ復調／誤り訂正部
２５…デマルチプレクサ／ＭＰＥＧ復号部
２６…グラフィック処理／ＤＡＣ部
２７…制御部
【図１】
2004120475.tif 000003
【図２】
2004120475.tif 000004
【図３】
2004120475.tif 000005
【図４】
2004120475.tif 000006
【図５】
2004120475.tif 000007
【図６】
2004120475.tif 000008
【図７】
2004120475.tif 000009